(57)【要約】【課題】本発明の睡眠時呼吸確保用チューブは、鼻腔への挿入が違和感なく行えると共に、外観上の抵抗がないストッパーにより脱落することなく確実に着脱することができる。【解決手段】睡眠時呼吸確保用チューブ１の先端部２は、先端先細りとなる釣鐘状の円弧面３で閉塞され、該円弧面３の中央部分に小孔の貫通孔４を形成して空気の流通を可能にすると共に、鼻孔から咽頭部への形状に合わせて湾曲した円弧部７を形成し、前記円弧部７の内側稜線に沿って先端部２側へ延びる複数の通気孔８を形成する。前記睡眠時呼吸確保用チューブ１の基端部５には、鼻孔に嵌合する大きさの円錐台形状の筒体６を固定し、該筒体６の４分の１円周縁に沿って円弧状に突出するストッパー１０を形成し、該ストッパー１０を鼻孔内に挿入支持することで確実に前記睡眠時呼吸確保用チューブ１を着脱できるようにする。【選択図】図１
2019097904.tif 000002
【特許請求の範囲】
【請求項１】
人肌に近いシリコンゴム製の柔らかいチューブで、少なくとも鼻孔から咽頭部までの長さを有する睡眠時呼吸確保用チューブからなり、
前記睡眠時呼吸確保用チューブの先端部は、先端先細りとなる釣鐘状の円弧面で閉塞され、該円弧面の中央部分に小孔の貫通孔を形成して空気の流通を可能にすると共に、鼻孔から咽頭部への形状に合わせて湾曲した円弧部に形成し、前記円弧部の内側稜線に沿って先端部側へ直線的に複数の通気孔を形成し、
前記睡眠時呼吸確保用チューブの基端部には、鼻孔に嵌合する大きさの円錐台形状の筒体を固定し、該筒体には４分の１円周縁に沿って円弧状に突出するストッパーを形成し、該ストッパーを鼻孔内に挿入支持することで確実に前記睡眠時呼吸確保用チューブを着脱できることを特徴とする睡眠時呼吸確保用チューブ。
【請求項２】
人肌に近いシリコンゴム製の柔らかいチューブで、少なくとも鼻孔から咽頭部までの長さを有する睡眠時呼吸確保用チューブからなり、
前記睡眠時呼吸確保用チューブの先端部は、先端先細りとなる釣鐘状の円弧面で閉塞され、鼻孔から咽頭部への形状に合わせて湾曲した円弧部を形成し、前記円弧部全体に沿って先端部側へ螺旋状又はランダムに延びる複数の小孔を形成する一方、前記円弧部の先端部近傍に複数の通気孔を形成し、
前記睡眠時呼吸確保用チューブの基端部には、鼻孔に嵌合する大きさの円錐台形状の筒体を固定し、該筒体には４分の１円周縁に沿って円弧状に突出するストッパーを形成し、該ストッパーを鼻孔内に挿入支持することで確実に前記睡眠時呼吸確保用チューブを着脱できることを特徴とする睡眠時呼吸確保用チューブ。
【請求項３】
前記通気孔の最終端部分と対向する個所又はずれた個所に液通孔を形成することを特徴とする請求項１又は２記載の睡眠時呼吸確保用チューブ。
【請求項４】
前記睡眠時呼吸確保用チューブの全体は、透明の合成樹脂からなることを特徴とする請求項１又は２記載の睡眠時呼吸確保用チューブ。
【発明の詳細な説明】
【技術分野】
【０００１】
本発明は、鼻腔への挿入が違和感なく行えると共に、ストッパーにより鼻孔へ確実に着脱できる睡眠時呼吸確保用チューブに関する。
【背景技術】
【０００２】
睡眠時の気道は、肥満だけでなく、顔の骨格や加齢によっても、狭くなるし又は閉塞する。睡眠時のいびきや無呼吸は、上気道が狭くなる又は閉塞することが原因である。そのため、鼻にソフトなチューブを挿入することで気道を確保することが以前から知られている。
従来、鼻孔から鼻腔を経て咽頭部の気道を押し広げるようにして挿入される閉塞型睡眠時無呼吸症候群解消チューブが知られている（特許文献１を参照）。
【０００３】
この公知技術の閉塞型睡眠時無呼吸症候群解消チューブ（１）は、摩擦係数が低く柔軟性を有し人体に無害である材料、例えば、ポリエチレン、フッ素樹脂、シリコン樹脂等の合成樹脂によって形成されており、図７に示すように、前記閉塞型睡眠時無呼吸症候群解消チューブ（１）を鼻孔から鼻腔（２２）を通し、前記閉塞型睡眠時無呼吸症候群解消チューブ（１）の基端が鼻孔から僅かに、例えば１〜２ｃｍ程度出ている状態まで前記閉塞型睡眠時無呼吸症候群解消チューブ（１）を押し込む結果、前記閉塞型睡眠時無呼吸症候群解消チューブ（１）の先端部が患者の咽頭部（２３）の奥まで挿入され、気道を確保するものである。
しかし、前記閉塞型睡眠時無呼吸症候群解消チューブ（１）は、先端が垂直又は斜めに切断された断面であるため、前記閉塞型睡眠時無呼吸症候群解消チューブ（１）の挿入時に抵抗があると共に鼻腔（２２）の粘膜を傷つける恐れがあったし、前記閉塞型睡眠時無呼吸症候群解消チューブ１の基端付近には、鼻孔に埋没しないようにするための突起部（２）が形成されているため、外観上の抵抗があった。
【先行技術文献】
【特許文献】
【０００４】
【特許文献１】特開２００９−７２５８１号公報
【発明の概要】
【発明が解決しようとする課題】
【０００５】
本発明は、鼻腔への挿入が違和感なく行えると共に、外観上の抵抗がないストッパーにより脱落することなく確実に着脱できる睡眠時呼吸確保用チューブを提供することを目的とする。
【課題を解決するための手段】
【０００６】
本発明の睡眠時呼吸確保用チューブは、人肌に近いシリコンゴム製の柔らかいチューブで、少なくとも鼻孔から咽頭部までの長さを有する睡眠時呼吸確保用チューブからなり、前記睡眠時呼吸確保用チューブの先端部は、先端先細りとなる釣鐘状の円弧面で閉塞され、該円弧面の中央部分に小孔の貫通孔を形成して空気の流通を可能にすると共に、鼻孔から咽頭部への形状に合わせて湾曲した円弧部に形成し、前記円弧部の内側稜線に沿って先端部側へ直線的に複数の通気孔を形成し、前記睡眠時呼吸確保用チューブの基端部には、鼻孔に嵌合する大きさの円錐台形状の筒体を固定し、該筒体には４分の１円周縁に沿って円弧状に突出するストッパーを形成し、該ストッパーを鼻孔内に挿入支持することで確実に前記睡眠時呼吸確保用チューブを着脱できるものである。
【０００７】
本発明の睡眠時呼吸確保用チューブは、人肌に近いシリコンゴム製の柔らかいチューブで、少なくとも鼻孔から咽頭部までの長さを有する睡眠時呼吸確保用チューブからなり、  前記睡眠時呼吸確保用チューブの先端部は、先端先細りとなる釣鐘状の円弧面で閉塞され、鼻孔から咽頭部への形状に合わせて湾曲した円弧部を形成し、前記円弧部全体に沿って先端部側へ螺旋状又はランダムに延びる複数の小孔を形成する一方、前記円弧部の先端部近傍に複数の通気孔を形成し、前記睡眠時呼吸確保用チューブの基端部には、鼻孔に嵌合する大きさの円錐台形状の筒体を固定し、該筒体には４分の１円周縁に沿って円弧状に突出するストッパーを形成し、該ストッパーを鼻孔内に挿入支持することで確実に前記睡眠時呼吸確保用チューブを着脱できるものである。
【発明の効果】
【０００８】
本発明の睡眠時呼吸確保用チューブは、前記睡眠時呼吸確保用チューブの先端部が先端先細りとなる釣鐘状の円弧面となっているため、鼻腔への挿入が違和感なく行えると共に、前記睡眠時呼吸確保用チューブの基端部のストッパーが鼻腔内に収納されるので、外観上見えないため抵抗がないストッパーにより脱落することなく確実に着脱できる効果がある。
【図面の簡単な説明】
【０００９】
【図１】本発明の睡眠時呼吸確保用チューブの一実施例の斜視図である。
【図２】本発明の睡眠時呼吸確保用チューブの一実施例の底面図である。
【図３】本発明の睡眠時呼吸確保用チューブの一実施例の平面図である。
【図４】本発明の睡眠時呼吸確保用チューブの他の実施例の斜視図である。
【図５】本発明の睡眠時呼吸確保用チューブの他の実施例の底面図である。
【図６】本発明の睡眠時呼吸確保用チューブの他の実施例の平面図である。
【図７】従来の閉塞型睡眠時無呼吸症候群解消チューブの装着を示す説明図である。
【発明を実施するための形態】
【００１０】
本発明の睡眠時呼吸確保用チューブの一実施例を添付図面に基づいて、以下に説明する。
図１の斜視図に示すように、睡眠時呼吸確保用チューブ１は、人肌に近い軟度のシリコンゴム製の柔らかい着色又は透明のチューブで、少なくとも鼻孔から咽頭部までの長さを有する。
前記睡眠時呼吸確保用チューブ１の先端部２は、先端先細りとなる釣鐘状の円弧面３で閉塞され、該円弧面３の中央部分に小孔の貫通孔４を形成して空気の流通を可能にすると共に、前記睡眠時呼吸確保用チューブ１の基端部５には、鼻孔に嵌合する大きさの円錐台形状の筒体６を固定する。
そして、前記睡眠時呼吸確保用チューブ１は、鼻孔から咽頭部への形状に合わせて湾曲した円弧部７を形成し、図２の底面図に示すように、前記円弧部の内側稜線に沿って先端部２側へ延びる複数の通気孔８を形成する。一方、前記円弧部７の外側稜線に沿って閉塞状態とし、図３の平面図に示すように、前記通気孔８の最終端部分と対向する個所に液通孔９を形成する。
また、前記睡眠時呼吸確保用チューブ１の基端部５には、前記筒体６の４分の１円周縁に沿って円弧状に突出するストッパー１０を形成し、該ストッパー１０を鼻孔内に挿入支持することで確実に前記睡眠時呼吸確保用チューブ１を着脱できるようにする。
図面に示すものは、右鼻孔挿入用であるが、左鼻孔挿入用はこれと左右対称となる。
【００１１】
次に、本発明の睡眠時呼吸確保用チューブの一実施例の操作動作を添付図面に基づいて、以下に説明する。
いびきや無呼吸に苦しむ患者は、就寝前に、睡眠時呼吸確保用チューブ１を鼻孔から鼻腔を通して、前記睡眠時呼吸確保用チューブ１の基端部５のストッパー１０が鼻孔内に収納される状態まで、すなわち咽頭部まで前記睡眠時呼吸確保用チューブ１を押し込む。この時、前記睡眠時呼吸確保用チューブ１の先端部２は釣鐘状の円弧面３となっているため、鼻腔内を抵抗感なく挿入することができる。なお、特に初心者は、挿入前に違和感を生じないように、前記睡眠時呼吸確保用チューブ１の先端部２にワセリンやゼリー状潤滑剤などを塗布することが望ましい。
この状態では、前記睡眠時呼吸確保用チューブ１の先端部２が、咽頭部の奥まで挿入されて気道が確保されているので、空気の流通は、前記睡眠時呼吸確保用チューブ１の円弧部７の内側稜線の複数の通気孔８及び先端部２の円弧面３の中央部分の貫通孔４により円滑に行われる。また、鼻水等の液体は、前記睡眠時呼吸確保用チューブ１の円弧部の外側稜線の液通孔９から排出される。
起床時に、前記睡眠時呼吸確保用チューブ１を取り外す時は、片方の手で鼻孔を拡げ、もう一方の手で鼻の外側から基端部５を押し出すようにしてストッパー１０を鼻孔から突出させ、前記ストッパー１０を掴んで引っ張り出すことで、前記睡眠時呼吸確保用チューブ１を取り外すことができる。
【００１２】
本発明の睡眠時呼吸確保用チューブの他の実施例を添付図面に基づいて、以下に説明する。
図４の斜視図に示すように、睡眠時呼吸確保用チューブ１は、人肌に近い軟度のシリコンゴム製の柔らかい着色又は透明のチューブで、少なくとも鼻孔から咽頭部までの長さを有する。
前記睡眠時呼吸確保用チューブ１の先端部２は、先端先細りとなる釣鐘状の円弧面３で閉塞されると共に、前記睡眠時呼吸確保用チューブ１の基端部５には、鼻孔に嵌合する大きさの円錐台形状の筒体６を固定する。
そして、前記睡眠時呼吸確保用チューブ１は、鼻孔から咽頭部への形状に合わせて湾曲した円弧部７を形成し、前記円弧部７全体に沿って先端部２側へ螺旋状又はランダムに延びる複数の小孔１１を形成する一方、図５の底面図に示すように、前記円弧部の先端部２近傍に複数の通気孔８を形成する。さらに、図６の平面図に示すように、前記通気孔８とずれた個所に液通孔９を設ける。
また、前記睡眠時呼吸確保用チューブ１の基端部５には、前記筒体６の４分の１円周縁に沿って円弧状に突出するストッパー１０を形成し、該ストッパー１０を鼻孔内に挿入支持することで確実に前記睡眠時呼吸確保用チューブ１を着脱できるようにする。
図面に示すものは、左鼻孔挿入用であるが、右鼻孔挿入用はこれと左右対称となる。
【００１３】
次に、本発明の睡眠時呼吸確保用チューブの他の実施例の操作動作を添付図面に基づいて、以下に説明する。
いびきや無呼吸に苦しむ患者は、就寝前に、睡眠時呼吸確保用チューブ１を鼻孔から鼻腔を通して、前記睡眠時呼吸確保用チューブ１の基端部５のストッパー１０が鼻孔内に収納される状態まで、すなわち咽頭部まで前記睡眠時呼吸確保用チューブ１を押し込む。この時、前記睡眠時呼吸確保用チューブ１の先端部２は釣鐘状の円弧面３となっているため、鼻腔内を抵抗感なく挿入することができる。
この状態では、前記睡眠時呼吸確保用チューブ１の先端部２が、咽頭部の奥まで挿入されて気道が確保されているので、空気の流通は、前記睡眠時呼吸確保用チューブ１の円弧部７の先端部２近傍の複数の通気孔８及び先端部２の液通孔９により円滑に行われる。そして、前記円弧部７全体に沿って先端部２側へ螺旋状又はランダムに延びる複数の小孔１１は、前記睡眠時呼吸確保用チューブ１内に湿気を帯びさせる効果を生じさせる。また、鼻水等の液体は、前記睡眠時呼吸確保用チューブ１の円弧部の外側稜線の液通孔９から排出される。
起床時に、前記睡眠時呼吸確保用チューブ１を取り外す時は、片方の手で鼻孔を拡げ、もう一方の手で鼻の外側から基端部５を押し出すようにしてストッパー１０を鼻孔から突出させ、前記ストッパー１０を掴んで引っ張り出すことで、前記睡眠時呼吸確保用チューブ１を取り外すことができる。
【符号の説明】
【００１４】
１  睡眠時呼吸確保用チューブ
２  先端部
３  円弧面
４  貫通孔
５  基端部
６  筒体
７  円弧部
８  通気孔
９  液通孔
１０  ストッパー
１１  小孔
【図１】
2019097904.tif 000003
【図２】
2019097904.tif 000004
【図３】
2019097904.tif 000005
【図４】
2019097904.tif 000006
【図５】
2019097904.tif 000007
【図６】
2019097904.tif 000008
【図７】
2019097904.tif 000009
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
人肌に近いシリコンゴム製の柔らかい細長いチューブで、少なくとも鼻孔から咽頭部までの長さを有する睡眠時呼吸確保用チューブからなり、
前記睡眠時呼吸確保用チューブの先端部は、先端先細りとなる釣鐘状の円弧面で閉塞され、該円弧面の中央部分に小孔の貫通孔を形成して空気の流通を可能にすると共に、鼻孔から咽頭部への形状に合わせて湾曲した円弧部に形成し、前記円弧部の内側稜線に沿って先端部側へ直線的に複数の通気孔を形成し、
前記睡眠時呼吸確保用チューブの基端部には、鼻孔に嵌合する開口部側へ徐々に拡径する大きさの円錐台形状の筒体を固定し、該筒体には前記通気孔の延長線上に位置する４分の１円周縁に沿って円弧状に突出するストッパーを形成し、該ストッパーを鼻孔内に挿入支持することで確実に前記睡眠時呼吸確保用チューブを着脱できることを特徴とする睡眠時呼吸確保用チューブ。
【請求項２】
人肌に近いシリコンゴム製の柔らかい細長いチューブで、少なくとも鼻孔から咽頭部までの長さを有する睡眠時呼吸確保用チューブからなり、
前記睡眠時呼吸確保用チューブの先端部は、先端先細りとなる釣鐘状の円弧面で閉塞され、鼻孔から咽頭部への形状に合わせて湾曲した円弧部を形成し、前記円弧部全体に沿って先端部側へ螺旋状又はランダムに延びる複数の小孔を形成する一方、前記円弧部の先端部近傍に複数の通気孔を形成し、
前記睡眠時呼吸確保用チューブの基端部には、鼻孔に嵌合する開口部側へ徐々に拡径する大きさの円錐台形状の筒体を固定し、該筒体には前記通気孔の延長線上に位置する４分の１円周縁に沿って円弧状に突出するストッパーを形成し、該ストッパーを鼻孔内に挿入支持することで確実に前記睡眠時呼吸確保用チューブを着脱できることを特徴とする睡眠時呼吸確保用チューブ。
【請求項３】
前記通気孔の最終端部分と一致する個所又はずれた個所に液通孔を形成することを特徴とする請求項１又は２記載の睡眠時呼吸確保用チューブ。
【請求項４】
前記睡眠時呼吸確保用チューブの全体は、透明の合成樹脂からなることを特徴とする請求項１又は２記載の睡眠時呼吸確保用チューブ。
【手続補正２】
【補正対象書類名】明細書
【補正対象項目名】０００８
【補正方法】変更
【補正の内容】
【０００８】
本発明の睡眠時呼吸確保用チューブは、前記睡眠時呼吸確保用チューブの先端部が先端先細りとなる釣鐘状の円弧面となっているため、鼻腔への挿入が粘膜を損傷することなく違和感なく行えると共に、前記睡眠時呼吸確保用チューブの基端部のストッパーが鼻孔内に収納されるので、外観上見えないため抵抗がないストッパーにより脱落することなく確実に着脱できる効果がある。
【手続補正３】
【補正対象書類名】明細書
【補正対象項目名】００１１
【補正方法】変更
【補正の内容】
【００１１】
次に、本発明の睡眠時呼吸確保用チューブの一実施例の操作動作を添付図面に基づいて、以下に説明する。
いびきや無呼吸に苦しむ患者は、就寝前に、睡眠時呼吸確保用チューブ１を鼻孔から鼻腔を通して、前記睡眠時呼吸確保用チューブ１の基端部５のストッパー１０が鼻孔内に収納される状態まで、すなわち咽頭部まで前記睡眠時呼吸確保用チューブ１を押し込む。この時、前記睡眠時呼吸確保用チューブ１の先端部２は釣鐘状の円弧面３となっているため、鼻腔内を粘膜を損傷することなく抵抗感なく挿入することができる。なお、特に初心者は、挿入前に違和感を生じないように、前記睡眠時呼吸確保用チューブ１の先端部２にワセリンやゼリー状潤滑剤などを塗布することが望ましい。
この状態では、前記睡眠時呼吸確保用チューブ１の先端部２が、咽頭部の奥まで挿入されて気道が確保されているので、空気の流通は、前記睡眠時呼吸確保用チューブ１の円弧部７の内側稜線の複数の通気孔８及び先端部２の円弧面３の中央部分の貫通孔４により円滑に行われる。また、鼻水等の液体は、前記睡眠時呼吸確保用チューブ１の円弧部の外側稜線の液通孔９から排出される。
起床時に、前記睡眠時呼吸確保用チューブ１を取り外す時は、片方の手で鼻孔を拡げ、もう一方の手で鼻の外側から基端部５を押し出すようにしてストッパー１０を鼻孔から突出させ、前記ストッパー１０を掴んで引っ張り出すことで、前記睡眠時呼吸確保用チューブ１を取り外すことができる。
【手続補正４】
【補正対象書類名】明細書
【補正対象項目名】００１３
【補正方法】変更
【補正の内容】
【００１３】
次に、本発明の睡眠時呼吸確保用チューブの他の実施例の操作動作を添付図面に基づいて、以下に説明する。
いびきや無呼吸に苦しむ患者は、就寝前に、睡眠時呼吸確保用チューブ１を鼻孔から鼻腔を通して、前記睡眠時呼吸確保用チューブ１の基端部５のストッパー１０が鼻孔内に収納される状態まで、すなわち咽頭部まで前記睡眠時呼吸確保用チューブ１を押し込む。この時、前記睡眠時呼吸確保用チューブ１の先端部２は釣鐘状の円弧面３となっているため、鼻腔内を粘膜を損傷することなく抵抗感なく挿入することができる。
この状態では、前記睡眠時呼吸確保用チューブ１の先端部２が、咽頭部の奥まで挿入されて気道が確保されているので、空気の流通は、前記睡眠時呼吸確保用チューブ１の円弧部７の先端部２近傍の複数の通気孔８及び先端部２の液通孔９により円滑に行われる。そして、前記円弧部７全体に沿って先端部２側へ螺旋状又はランダムに延びる複数の小孔１１は、前記睡眠時呼吸確保用チューブ１内に湿気を帯びさせる効果を生じさせる。また、鼻水等の液体は、前記睡眠時呼吸確保用チューブ１の円弧部の外側稜線の液通孔９から排出される。
起床時に、前記睡眠時呼吸確保用チューブ１を取り外す時は、片方の手で鼻孔を拡げ、もう一方の手で鼻の外側から基端部５を押し出すようにしてストッパー１０を鼻孔から突出させ、前記ストッパー１０を掴んで引っ張り出すことで、前記睡眠時呼吸確保用チューブ１を取り外すことができる。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
人肌に近いシリコンゴム製の柔らかい細長いチューブで、少なくとも鼻孔から咽頭部までの長さを有する睡眠時呼吸確保用チューブからなり、
前記睡眠時呼吸確保用チューブの先端部は、先端先細りとなる釣鐘状の円弧面で閉塞され、該円弧面の中央部分に小孔の貫通孔を形成して空気の流通を可能にすると共に、鼻孔から咽頭部への形状に合わせて湾曲した円弧部に形成し、前記円弧部の内側稜線に沿って先端部側へ直線的に複数の通気孔を形成し、
前記睡眠時呼吸確保用チューブの基端部には、鼻孔に嵌合する開口部側へ徐々に拡径する大きさの円錐台形状の筒体を固定し、該筒体には前記通気孔の延長線上に位置する４分の１円周縁に沿って円弧状に突出するストッパーを形成し、該ストッパーを鼻孔内に挿入支持することで確実に前記睡眠時呼吸確保用チューブを着脱できることを特徴とする睡眠時呼吸確保用チューブ。
【請求項２】
人肌に近いシリコンゴム製の柔らかい細長いチューブで、少なくとも鼻孔から咽頭部までの長さを有する睡眠時呼吸確保用チューブからなり、
前記睡眠時呼吸確保用チューブの先端部は、先端先細りとなる釣鐘状の円弧面で閉塞され、鼻孔から咽頭部への形状に合わせて湾曲した円弧部を形成し、前記円弧部全体に沿って先端部側へ螺旋状又はランダムに延びる複数の小孔を形成する一方、前記円弧部の先端部近傍に複数の通気孔を形成し、
前記睡眠時呼吸確保用チューブの基端部には、鼻孔に嵌合する開口部側へ徐々に拡径する大きさの円錐台形状の筒体を固定し、該筒体には前記通気孔の延長線上に位置する４分の１円周縁に沿って円弧状に突出するストッパーを形成し、該ストッパーを鼻孔内に挿入支持することで確実に前記睡眠時呼吸確保用チューブを着脱できることを特徴とする睡眠時呼吸確保用チューブ。
【請求項３】
前記通気孔の最終端部分と対向する個所又はずれた個所に液通孔を形成することを特徴とする請求項１又は２記載の睡眠時呼吸確保用チューブ。
【請求項４】
前記睡眠時呼吸確保用チューブの全体は、透明の合成樹脂からなることを特徴とする請求項１又は２記載の睡眠時呼吸確保用チューブ。